(57)【特許請求の範囲】
【請求項１】
ユーザの頭部に装着可能な、画像を生成する表示装置（１）用の眼鏡レンズであって、  前面（８）及び背面（９）を備える眼鏡レンズ本体（７）であって、前記前面（８）及び／又は前記背面（９）は湾曲しており、該眼鏡レンズ本体（７）は第１の部分的な本体（２０）及び第２の部分的な本体（２１）を含み、該第１の部分的な本体（２０）及び該第２の部分的な本体（２１）の相互に面する境界面は互いに接続されている、眼鏡レンズ本体（７）と、
該眼鏡レンズ（３、４）を上面から見た場合の、該眼鏡レンズ（３、４）のエッジ領域（１２）内のカップリングインセクション（２５）、及び、該眼鏡レンズ（３、４）の中央領域（１３）の、反射ファセット（２７）を含む反射カップリングアウトセクション（２６）と、
前記カップリングアウトセクション（２６）の領域において前記２つの境界面間に配置されるスプリッタ層（２２）と
を有し、
該眼鏡レンズ（３、４）は、該眼鏡レンズ（３、４）の前記カップリングインセクション（２５）を介して該眼鏡レンズ（３、４）中にカップリングインされる生成された画像のピクセルの光束を、該眼鏡レンズ（３、４）において、前記背面（９）、及び、該背面（９）に対向する反射表面における反射によって前記カップリングアウトセクション（２６）まで案内するとともに、該カップリングアウトセクション（２６）を介して該眼鏡レンズ（３、４）からカップリングアウトさせ、
前記スプリッタ層（２２）は各場合に、前記背面（９）によって反射される光束（２４）の一部を該背面（９）に向かって反射させるとともに一部を透過させ、前記背面における反射後に、反射された部分は、前記スプリッタ層（２２）に再び当たり、該スプリッタ層（２２）において前記背面（９）に向かって再度部分的に反射され、部分的に透過され、該透過した部分は前記ファセット（２７）に当たり、これによって、該ファセット（２７）によって反射された部分が前記スプリッタ層（２２）及び前記背面（９）を通して該眼鏡レンズ（３、４）からカップリングアウトされるように、前記背面（９）の方向への反射を生じ、
前記スプリッタ層（２２）は湾曲して形成されており、
前記スプリッタ層（２２）の反射率は、前記カップリングインセクション（２５）から前記カップリングアウトセクション（２６）の方向に低下する眼鏡レンズ。
【請求項２】
前記ファセット（２７）は部分反射ファセット（２７）として形成されている、請求項１に記載の眼鏡レンズ。
【請求項３】
前記ファセット（２７）の反射率は、前記ファセット（２７）の前記カップリングインセクション（２５）側から前記カップリングアウトセクション（２６）側の方向に高まる、請求項２に記載の眼鏡レンズ。
【請求項４】
前記反射表面は前記前面（８）である、請求項１〜３のいずれか一項に記載の眼鏡レンズ。
【請求項５】
前記反射表面は、前記２つの部分的な本体（２０、２１）の前記２つの境界面の間に形成されている、請求項１〜３のいずれか一項に記載の眼鏡レンズ。
【請求項６】
前記ファセット（２７）によって形成された窪みは、前記部分的な本体の材料で満たされ、前記ファセット（２７）は、平滑な前面（８）が形成されるように形成される、請求項１〜５のいずれか一項に記載の眼鏡レンズ。
【請求項７】
前記カップリングインセクション（２５）及び／又は前記カップリングアウトセクション（２６）はイメージング効果を有する、請求項１〜６のいずれか一項に記載の眼鏡レンズ。
【請求項８】
前記カップリングインセクション（２５）はコリメート効果を有する、請求項１〜７のいずれか一項に記載の眼鏡レンズ。
【請求項９】
前記カップリングインセクション（２５）は屈折性及び／又は反射性である、請求項１〜８のいずれか一項に記載の眼鏡レンズ。
【請求項１０】
前記反射表面は前記スプリッタ層（２２）である、請求項１〜３のいずれか一項に記載の眼鏡レンズ。
【請求項１１】
ユーザの頭部に装着可能なホルダー（２）と、
画像を生成する、前記ホルダー（２）に固定される画像生成モジュール（５）と、前記ホルダー（２）に固定されるイメージング光学システムであって、請求項１〜１０のいずれか一項に記載の眼鏡レンズ（３、４）を備え、前記ホルダー（２）が頭部に装着されると、前記生成された画像を、ユーザが仮想の画像として知覚することができるように画像化する、イメージング光学システムと
を有する、表示装置。
【発明の詳細な説明】
【技術分野】
【０００１】
本発明は、ユーザの頭部に装着可能な、画像を生成する表示装置用の眼鏡レンズ、及び該眼鏡レンズを備えた表示装置に関する。
【０００２】
そのような眼鏡レンズはしばしば、眼鏡レンズを上面から見た場合、眼鏡レンズのエッジ領域にカップリングインセクションを備えるとともに、眼鏡レンズの中央領域にカップリングアウトセクションを備え、眼鏡レンズのカップリングインセクションを介して眼鏡レンズにカップリングインされる生成された画像のピクセルの光束は、仮想の画像を提供するために、眼鏡レンズにおいてカップリングアウトセクションまで案内され、カップリングアウトセクションを介して眼鏡レンズからカップリングアウトされる。実際には、一方で、眼鏡レンズを可能な限り薄く形成し、他方で、カップリングアウトされた光ビームの可能な限り大きい射出瞳を提供することは困難であることが示されている。したがって、概して、射出瞳の所望の拡大を実現するために、いわゆる瞳孔エキスパンダーがカップリングアウトセクションに形成される。瞳孔エキスパンダーは、一方では、波長に対する強い依存を示し、他方では、実現するのが困難である回折瞳孔エキスパンダーとしてしばしば形成される。
【発明の概要】
【０００３】
したがって、ここから始めると、本発明の目的は、冒頭において挙げた困難を可能な限り完全に克服することができる眼鏡レンズを提供することである。
【０００４】
本発明によると、目的は、ユーザの頭部に装着可能な、画像を生成する表示装置用の眼鏡レンズによって達成され、眼鏡レンズは、前面及び背面を備える眼鏡レンズ本体であって、前面及び／又は背面は湾曲しており、眼鏡レンズ本体は第１の部分的な本体及び第２の部分的な本体を含み、第１の部分的な本体及び第２の部分的な本体の相互に面する境界面は互いに接続されている、眼鏡レンズ本体と、眼鏡レンズを上面から見た場合の、眼鏡レンズのエッジ領域内のカップリングインセクション、及び、眼鏡レンズの中央領域の、反射ファセットを含む反射カップリングアウトセクションと、カップリングアウトセクションの領域において２つの境界面間に配置されるスプリッタ層とを有し、眼鏡レンズは、眼鏡レンズのカップリングインセクションを介して眼鏡レンズ中にカップリングインされる生成された画像のピクセルの光束を、眼鏡レンズにおいて、背面、及び、背面に対向する反射表面における反射によってカップリングアウトセクションまで案内するとともに、カップリングアウトセクションを介して眼鏡レンズからカップリングアウトさせるのに好適であり、スプリッタ層は各場合に、背面によって反射される光束の一部を背面に向かって反射させるとともに一部を透過させ、背面における反射後に、反射された部分は、スプリッタ層に再び当たり、スプリッタ層において背面に向かって再度部分的に反射され、部分的に透過され、透過した部分はファセットに当たり、これによって、カップリングアウトがスプリッタ層及び背面を通して生じるように、背面の方向への反射を生じる。
【０００５】
瞳孔の所望の広がりは、スプリッタ層によって、光束（又は各光束のそれぞれの透過した部分）がそれぞれ、カップリングアウトセクションのファセットに横方向に離間して複数回当たることが確実になるため、この眼鏡レンズを用いて容易に達成することができ、その結果、ファセットにおいて（反射によって）偏向が生じた後で、射出瞳の拡大と同時に所望のカップリングアウトが存在する。
【０００６】
反射ファセットが、意図される又は所望の回折効果を生成しないように設けられるため、カップリングアウトセクションはしたがって反射カップリングアウトセクションとして作用する。
【０００７】
本発明による眼鏡レンズでは、スプリッタ層の反射率は、カップリングインセクションからカップリングアウトセクションの方向に高まることができる。
【０００８】
さらに、ファセットは部分反射ファセットとして形成することができる。特に、ファセットの反射率は、カップリングインセクションからカップリングアウトセクションの方向に高まることができる。
【０００９】
加えて、ファセットを反射ファセットとして形成する（可能な場合は１００％の反射を有する）ことが可能である。
【００１０】
ファセットは、ファセットを上面から見た場合、（実質的に）連続的な反射層又は部分反射層が存在するように、互いに直接的に隣に配置することができる。代替的には、隣り合うファセットは、互いから離間することができ、その結果、（上面図で見て）ファセット間に透明な隙間がある。
【００１１】
本発明による眼鏡レンズでは、反射表面は、前面、又は、前面に適用される反射層であるものとすることができる。
【００１２】
さらに、反射表面を、２つの部分的な本体の２つの境界面間に形成することが可能である。
【００１３】
背面における反射及び／又は反射表面における反射は、内部全反射によって生じることができる。
【００１４】
ファセットは眼鏡レンズ本体の前面に形成することができる。特に、ファセットは埋め込みファセットとして形成することができる。この場合、ファセットによって形成される窪みは、眼鏡レンズ本体（又は対応する部分的な本体）の材料で満たされ、その結果、平滑な前面が形成され、特に、眼鏡レンズ本体の材料で満たすことは、前面の元の湾曲プロファイルが埋め込みファセットの領域にも存在するように行われる。
【００１５】
反射表面は平坦に又は湾曲して形成することができる。スプリッタ層も平坦に又は湾曲して形成することができる。
【００１６】
反射表面及び／又はスプリッタ層の湾曲した形成の場合、これを用いて、光束のイメージングにおけるイメージング誤差を補正することができる。
【００１７】
反射表面及びスプリッタ層は同じ層によって実現することができる。
【００１８】
カップリングインセクション及び／又はカップリングアウトセクションはイメージング効果を有することができる。
【００１９】
加えて、カップリングインセクションはコリメーション効果を有することが可能である。カップリングインセクションはさらに、屈折性及び／又は反射性であるものとすることができる。
【００２０】
前面及び背面を接続する端面を介して眼鏡レンズへのカップリングインを行うことが可能である。特に、端面はイメージング機能を有することができる。
【００２１】
本発明による眼鏡レンズはプラスチック又はガラスから形成することができる。
【００２２】
ファセットは、特に、表面の一部分、表面要素又は表面を意味する。表面の一部分、表面要素又は表面は、説明するファセットの光学的効果を提供することができる。
【００２３】
さらに、ユーザの頭部に装着可能なホルダーと、画像を生成する、ホルダーに固定される画像生成モジュールと、、ホルダーに固定されるイメージング光学システムであって、本発明による眼鏡レンズを備え、ホルダーが頭部に装着されると、生成された画像を、ユーザが仮想の画像として知覚することができるように画像化する、イメージング光学システムとを有する、表示装置が提供される。
【００２４】
イメージング光学システムは、唯一の光学要素として眼鏡レンズを含むことができる。しかし、イメージング光学システムが、眼鏡レンズに加えて、少なくとも１つのさらなる光学要素も含むことも可能である。
【００２５】
したがって、さらなる光学要素は、例えば、眼鏡レンズと画像生成モジュールとの間に配置されるコリメート光学システムであるものとすることができ、その結果、画像生成モジュールからの光束をコリメートされた光束として眼鏡レンズにカップリングインすることができる。
【００２６】
特に、イメージング光学システムは、カップリングインセクションにおける全ての光束の範囲が可能な限り小さいように設計することができる。これは、特に、イメージング光学システムの入射瞳がカップリングインセクションの領域に配置されるという点で達成することができる。
【００２７】
画像生成モジュールは、特に、例えば、ＬＣＤモジュール、ＬＣｏＳモジュール、ＯＬＥＤモジュール又は傾斜ミラーマトリックスなど、２次元イメージングシステムを備えることができる。イメージングシステムは自己発光性又は非自己発光性であり得る。
【００２８】
画像生成モジュールは、それが単色画像又は多色画像を生成するように特に形成され得る。
【００２９】
本発明による表示装置は、それの動作のために必要である当業者に知られているさらなる要素を備えることができる。
【００３０】
上記で挙げた特徴及び以下でさらに説明する特徴は、述べられる組合せにおいてだけでなく、本発明の範囲から逸脱することなく他の組合せにおいても又は単独でも使用され得ることを理解されたい。
【００３１】
本発明にとって本質的な特徴をも開示する添付の図面を参照しながら、本発明について、以下で例としてより一層詳細に説明する。以下に図示されている。
【図面の簡単な説明】
【００３２】
【図１】本発明による表示装置の一実施形態の概略斜視図である。
【図２】図１の第１の眼鏡レンズ３の詳細断面図である。
【図３】図２によるカップリングアウトセクション２６の一部の詳細拡大図である。
【図４】カップリングアウトセクションによる異なるカップリングアウトを説明するための第１の眼鏡レンズ３の断面図である。
【図５】カップリングアウトセクションによる異なるカップリングアウトを説明するための第１の眼鏡レンズ３の断面図である。
【図６】カップリングアウトセクションによる異なるカップリングアウトを説明するための第１の眼鏡レンズ３の断面図である。
【図７】カップリングアウトセクションによる異なるカップリングアウトを説明するための第１の眼鏡レンズ３の断面図である。
【図８】カップリングアウトセクションによる異なるカップリングアウトを説明するための第１の眼鏡レンズ３の断面図である。
【図９】異なる視野点に関して目の瞳孔が同じ位置にある状態の射出瞳の図である。
【図１０】異なる視野点に関して目の瞳孔が同じ位置にある状態の射出瞳の図である。
【図１１】異なる視野点に関して目の瞳孔が同じ位置にある状態の射出瞳の図である。
【図１２】目の瞳孔の位置が水平方向にシフトした状態の図９の対応する図である。
【図１３】目の瞳孔の位置が水平方向にシフトした状態の図１０の対応する図である。
【図１４】目の瞳孔の位置が水平方向にシフトした状態の図１１の対応する図である。
【図１５】カップリングアウトセクション２６のファセット２７の形成の変更形態を説明するための図３に従って表現した図である。
【発明を実施するための形態】
【００３３】
図１に示された実施形態において、本発明による表示装置１は、ユーザの頭部に装着可能な、例えば従来の眼鏡フレームの様式で形成され得るホルダー２、並びにホルダー２に固定される第１及び第２の眼鏡レンズ３、４を備える。眼鏡レンズ３及び４を有するホルダー２は、例えば、スポーツ用眼鏡、サングラス及び／又は視覚欠陥を矯正する眼鏡として形成することができ、後述するように、仮想の画像を、第１の眼鏡レンズ３を介してユーザの視野に反射させることができる。
【００３４】
眼鏡レンズ３及び４、特に左側の眼鏡レンズ３のみを、例として本発明による表示装置１とともに記載する。眼鏡レンズ３、４又は少なくとも左側の眼鏡レンズはそれぞれ、本発明に従って眼鏡レンズ３、４として別個に形成される。本発明による左側の眼鏡レンズ３は当然ながら右側の眼鏡レンズとして形成することもできる。
【００３５】
図２（ホルダー２は表されていない）における第１の（左側の）眼鏡レンズ３の詳細断面図から最も良く分かるように、表示装置１は、画像生成モジュール５、制御ユニット６及びカップリングイン光学システム１５を備える。画像生成モジュール５、制御ユニット６及びカップリングイン光学システム１５は、単に概略的に表され、好ましくはホルダー２に固定される。画像生成モジュール５は、例えば列及び行に配置される複数のピクセルを有する、例えば２次元光変調器（例えば、ＯＬＥＤ、ＣＭＯＳ若しくはＬＣｏＳチップ又は傾斜ミラーマトリックスなど）を含むことができる。光束２４が各ピクセルから出ることができる。
【００３６】
左側の眼鏡レンズ３は、湾曲した前面８、湾曲した背面９及び端面１０を有する眼鏡レンズ本体７を備える。眼鏡レンズ本体７は、２つの部分に形成され、内側の部分的な本体２０及び外側の部分的な本体２１を備える。２つの部分的な本体２０、２１の相互に面する面は対応する曲率を有し、その結果、互いに平坦に接続されることができる。眼鏡レンズ３のエッジ領域１２から中央領域１３まで延びる反射層２２（例えば酸化チタン）が、２つの相互に面する面の間に配置される。カップリングインセクション２５がエッジ領域１２に形成され、カップリングアウトセクション２６が中央領域１３に形成される。
【００３７】
図２の表現から分かるように、光束２４は、画像生成モジュール５からカップリングイン光学システム１５まで進み、端面１０及び背面９を介して眼鏡レンズ（この場合は内側の部分的な本体２０）に入り、それによって、反射層２２によって、背面９において内部全反射が生じる角度で背面９に反射される。光束はしたがって、反射層２２と背面９との間で往復して反射され、それによって、カップリングアウトセクション２６まで案内される。
【００３８】
カップリングアウトセクション２６の領域では、反射層２２は、当たる各光束２４の一部を反射させて一部を透過させるスプリッタ層２２として形成される。透過した部分は、外側の部分的な本体２１を通って進み、カップリングアウトセクション２６の領域において前面８に形成されるフレネル構造２８のファセット２７に当たる。ファセット２７は、部分反射性であるように形成され、スプリッタ層２２及び背面９の方向への（反射による）ビーム経路の折り返しを生じ、それによって、光束２４のこのように反射された部分は、（小さい入射角度に起因して内部全反射が背面９ではもはや生じないため）スプリッタ層２２及び背面９を通過し、それによってカップリングアウトされる。
【００３９】
スプリッタ層２２によって反射された部分は背面９において全反射され、したがって、光束２４’として、横方向にオフセットされる（したがって、カップリングインセクション２５からカップリングアウトセクション２６の方向にオフセットされる）スプリッタ層２２に再び当たり、ここで再度、一部が透過され、一部が反射される。光束２４’の透過した部分は、横方向にオフセットされるさらなるファセット２７に当たり、再度、カップリングアウトが生じるようにさらなるファセット２７によって偏向される。スプリッタ層２２によって反射された光束２４’の部分は、横方向にオフセットされる背面９に再び当たり、背面９によって全反射される。スプリッタ層２２のこの動作モードは図３の拡大詳細図に同様に概略的に表されており、この場合、光束２４’は破線として示されている。
【００４０】
このように、瞳孔エキスパンダーが、カップリングアウトセクション２６の領域において、フレネル構造２８、スプリッタ層２２及び背面９によって実現され、その結果、横方向への射出瞳２９の大きい拡大を実現することができる。
【００４１】
射出瞳２９のこの拡張は、本発明による眼鏡レンズ３において、眼鏡レンズ本体７の非常に薄い形成に起因して、単一のカップリングアウトの光束の直径が射出瞳２９を満たすのに十分ではないため、行われる。射出瞳２９はアイボックスと称することもできる。これは、表示装置１によって提供され、ユーザの目が動くことができ、ユーザが依然としてカップリングアウトされた画像を常に知覚することができる領域である。したがって、各視野点（又は提示される画像のピクセル）に関して、アイボックス２９内の１つの位置に位置するユーザの目の瞳孔を満たすために、例えば２つ又は３つの隣り合うカップリングアウトが必要とされる。これらの、例えば２つ又は３つのカップリングアウトはしたがって、網膜の同じ画像点（目の解像度以内にある）に映されるはずである。したがって、一致が存在する。これは、特に、１ｍｉｎ未満の目の解像度の範囲において、網膜の同じ位置に当たることを意味する。１つの視野点のこれらの隣り合うカップリングアウトに同じメインビーム角度が存在するとも言える。
【００４２】
反射層２２は、カップリングインセクション２５とカップリングアウトセクション２６との間の領域に、カップリングアウトセクション２６の領域におけるものと同じように、当たる光束の一部を反射させて一部を透過させるスプリッタ層として形成することができる。反射した部分のみが図２に表されている。代替的には、反射層は、カップリングインセクション２５とカップリングアウトセクション２６との間に、所定の入射角から、光束２４を反射させ、所定の入射角よりも小さい入射角の光を透過させるように、内部全反射層として作用するよう形成することができる。この場合、表示装置のユーザは、カップリングインセクション２５とカップリングアウトセクション２６との間の反射層の領域を通して見ることもできる。さらに、カップリングインセクション２５とカップリングアウトセクション２６との間の反射層は、任意の他の所望の反射率（０％超〜１００％）を有することができる。
【００４３】
反射層２２はカップリングインセクション２５の領域にも延びることができる。ここで、反射層２２は、好ましくは入射する光束を全反射させる反射層として形成される（したがって、可能な場合は１００％の反射）。これは、ユーザがこのエッジ領域では眼鏡レンズを通して見ないため、ユーザに悪影響を及ぼすことなく可能である。特に、このエッジ領域は、例えば、ホルダー２の側部の各テンプル又は対応するヒンジの領域に位置付けることができる。
【００４４】
記載される実施形態では、光束のカップリングインは、背面９を介して部分的に、及び、端面１０（この場合、内側の部分的な本体２０の端面１０のセクション）を介して部分的に生じる。当然ながら、カップリングインは、端面１０のみ又は背面９のみを介して行われるように生じることもできる。
【００４５】
図２には、網膜における各視野点の幾つかのカップリングアウトが一致することを示すために、表示装置１を装着するユーザの目の網膜の位置３０も描かれている。
【００４６】
フレネル構造２８は、ビームの偏向に加えて、イメージング機能も実現するように形成することができる。これは、所望のイメージング特性を有する湾曲した反射表面が始点として用いられ、これが次にファセット２７によって調整されるという点で達成することができる。個々のファセット２７は平坦であるか又は湾曲しているものとすることができる。そのような手順は、例えば国際公開第２０１０／０９７４４２号公報及び国際公開第２０１０／０９７４３９号公報に記載されており、これらの公開文献の対応する記載及び図面は、本開示に援用される。
【００４７】
図２による眼鏡レンズ本体７は例えば２．０ｍｍの厚さを有することができる。前面８及び背面９の曲率半径の大きさは９０ｍｍである。生成される視野は１０°×４°である。例えばＰＭＭＡを眼鏡レンズ本体７の材料として用いることができる。アイボックスの直径、したがって最大の横方向範囲は、７ｍｍであり、目の瞳孔を満たすために最大でも５つのカップリングアウトが生じ、目の瞳孔は２ｍｍ〜３ｍｍの直径を有するものと仮定される。
【００４８】
スプリッタ層２２は、特に、カップリングアウトセクション２６の領域において、カップリングインセクションからカップリングアウトセクション２６の方向に透過率が高まる（したがって、低減可能な反射率）ように形成される。
【００４９】
さらに、内側の部分的な本体２０及び外側の部分的な本体２１の相互に面する面の形状、したがって、画像生成モジュール５によって生成される画像を仮想の画像としてイメージングする反射層２２の形状を、本発明による眼鏡レンズ３によって提供されるイメージング特性の最適化において考慮することができる。したがって、反射層２２は、（例えば２つの直交するセクション又は２つの主要なセクションにおいて異なる曲率を有する）例えば自由な形状の表面として設計することができ、それによって、反射におけるイメージング品質の明らかな改善が、（前面８及び背面９のみによって決まる）透過される光のイメージング品質に影響を与えることなく可能である。
【００５０】
したがって、例えば、多くの場合に視覚欠陥を矯正するのに用いられる背面９の曲率を、透過される光のイメージング特性に影響を与えることなく、反射層２２の曲率の対応する形成によって相殺することができる。必要な場合、例えば前面８の曲率も考慮することができ、その結果、仮想の画像は、背面９を通過した後でユーザの視覚欠陥の所望の矯正も有する。
【００５１】
図４〜図８の表現では、２つの縁の視野点及び視野中心に関する５つの異なるカップリングアウトが表されている。全てのさらなるカップリングアウトはもはや目に達せず、したがってもはや表されない。
【００５２】
図９には、アイボックス２９の中央に位置決めされるときのユーザの目の瞳孔３１の照光が示されており、５つのカップリングアウトにはＡ１、Ａ２、Ａ３、Ａ４及びＡ５が付されている。図９における画像化から分かるように、第３のカップリングアウト（Ａ３）が画像化に最も寄与し、第２のカップリングアウト（Ａ２）及び第４のカップリングアウト（Ａ４）の小さい部分が画像化をさらに補足する。
【００５３】
図１０には、図９と同様に、下側視野縁（−５°）の光束のカップリングアウトが画像形成に寄与することが表されている。これらは本質的に第４のカップリングアウトＡ４及び第５のカップリングアウトＡ５である。図１１には、上側視野縁（＋５°）の同じ表現が示されている。これは、第１のカップリングアウトＡ１及び第２のカップリングアウトＡ２が知覚されることを示している。
【００５４】
図１２〜図１４には、目の瞳孔３１の位置がアイボックス２９内で水平方向に（ｙ方向に）シフトした状態の対応する表現が示されている。
【００５５】
前述した実施形態の変更形態では、反射層２２は、カップリングインセクション２５からカップリングアウトセクション２６の直前まで、透明に形成されるか又は設けられず、その結果、この領域では、前面８及び背面９において内部全反射による光の案内が生じる（図２に破線４０によって示されている）。
【００５６】
この場合、カップリングアウトセクション２６の領域においてのみ、反射層２２はすでに記載したようにスプリッタ層として作用し、その結果、当たる各光束２４の一部が透過され、一部が反射され（ビーム経路はこの場合、前述した実施形態と同じであり、その結果、線４０はカップリングアウトセクションの領域にはもはや描かれない）。透過した部分はフレネル構造２８に当たり、フレネル構造２８によって偏向され、したがって射出瞳２９に向かってカップリングアウトされる。反射された部分は背面においてスプリッタ層２２に向かって再び反射され、その結果、射出瞳２９の所望の広がりが生じる。スプリッタ層２２はさらに、カップリングインセクション２５からカップリングアウトセクション２６の方向への透過率を高め、したがって反射率を低下させるように設計されている。
【００５７】
前述した実施形態では、ファセット２７は前面８に形成されている。しかし、図１５の概略的な表現に示されているように、ファセット２７を眼鏡レンズ本体７内、特に外側の部分的な本体２１内に形成することも可能である。図１５は、図３の表現に実質的に対応するが、ファセット２７はこの場合、眼鏡レンズ本体７内の埋め込みファセット２７として形成される。ファセット２７によって形成される窪みは好ましくは満たされ、その結果、前面８の元の湾曲プロファイルがカップリングアウト領域２６に存在する。それによって、眼鏡レンズ３を通して周囲を観察したときにカップリングアウトセクション２６の領域における不所望の屈折は生じない。
【００５８】
前述した実施形態では、ファセット２７は部分反射ファセットとして形成される。しかし、ファセット２７は、反射ファセット（可能な場合、１００％の反射を有する）として形成することもできる。この場合、カップリングアウトセクションの領域における観察者への透過した光の観察は可能ではない。しかし、部分反射又は反射ファセット２７を、記載したように、上面図で見て、連続的な部分反射又は反射表面が形成されるだけではなく、互いから離間するように配置することがさらに可能であり、その結果、各場合に、ファセット２７を有しない透過領域が２つのファセット２７間に存在する。この場合、ファセット２７が反射ファセット２７として形成される場合であっても、カップリングアウトセクション２６を通した、透過した光の観察も可能である。
【００５９】
本発明による表示装置１の記載される実施形態では、ユーザの視野への仮想の画像の反射は、左側の眼鏡レンズ３を介して生じる。当然ながら、右側の眼鏡レンズ４を介した反射も可能である。加えて、表示装置１は、情報のアイテム（又は仮想の画像）が双方の眼鏡レンズ３、４を介して反射されるように形成することができる。反射は、３次元画像印象が存在するように生じることができる。眼鏡レンズ３、４は、（特に視覚欠陥を矯正するために）ゼロの屈折力又はゼロとは異なる屈折力を有することができる。眼鏡レンズ３、４は、例えばガラス又はプラスチックからも製造することができ、当然ながら、ユーザの頭部に装着することができる他の表示装置において用いることができる。
【図１】
0006637881.tif 000002
【図２】
0006637881.tif 000003
【図３】
0006637881.tif 000004
【図４】
0006637881.tif 000005
【図５】
0006637881.tif 000006
【図６】
0006637881.tif 000007
【図７】
0006637881.tif 000008
【図８】
0006637881.tif 000009
【図９】
0006637881.tif 000010
【図１０】
0006637881.tif 000011
【図１１】
0006637881.tif 000012
【図１２】
0006637881.tif 000013
【図１３】
0006637881.tif 000014
【図１４】
0006637881.tif 000015
【図１５】
0006637881.tif 000016